(57)【要約】【課題】観察窓洗浄用管路と被写体洗浄用管路とが併設されていても挿入部が太くならず、内視鏡検査を受ける人が楽に検査を受けることができる内視鏡の送水路を提供すること。【解決手段】挿入部１内に、観察窓洗浄用管路１４と被写体洗浄用管路１５の双方に連通する一本の送水管路１１を挿通配置して、その送水管路１１から観察窓洗浄用管路１４と被写体洗浄用管路１５とに分岐する分岐部１２を挿入部１の先端付近に配置し、分岐部１２より被写体洗浄用管路１５側に、通常は閉じていて送水管路１１から一定の圧力を越える高圧で送水が行われることにより開く圧力開放弁１０を配置した。【選択図】      図１
2005253543.tif 000002
【特許請求の範囲】
【請求項１】
挿入部の先端に観察窓が配置されると共に、上記観察窓の表面に向かって洗浄水を吹き付けるための観察窓洗浄用管路と、上記観察窓前方の観察視野の方向に向かって洗浄水を吹き付けるための被写体洗浄用管路とが上記挿入部の先端に併設された内視鏡の送水路において、
上記挿入部内に、上記観察窓洗浄用管路と上記被写体洗浄用管路の双方に連通する一本の送水管路を挿通配置して、その送水管路から上記観察窓洗浄用管路と上記被写体洗浄用管路とに分岐する分岐部を上記挿入部の先端付近に配置し、上記分岐部より上記被写体洗浄用管路側に、通常は閉じていて上記送水管路から一定の圧力を越える高圧で送水が行われることにより開く圧力開放弁を配置したことを特徴とする内視鏡の送水路。
【発明の詳細な説明】
【技術分野】
【０００１】
この発明は内視鏡の送水路に関する。
【背景技術】
【０００２】
内視鏡の挿入部の先端に配置された観察窓の表面に体内の粘液や汚液等が付着すると良好な内視鏡観察を行うことができなくなるので、消化器内検査用の内視鏡には観察窓の表面に向かって洗浄水を吹き付けるための観察窓洗浄用管路が設けられている。
【０００３】
また、大腸内検査用の内視鏡等においては、検査対象である粘膜面に便等が付着してその部分を内視鏡観察できない場合があるので、観察視野の方向に向かって洗浄水を吹き付けるための被写体洗浄用管路が挿入部の先端に併設されている（例えば、特許文献１）。
【特許文献１】特開平８−２３８２１４
【発明の開示】
【発明が解決しようとする課題】
【０００４】
しかし、上述のような従来の内視鏡の送水路においては、観察窓洗浄用管路のための送水チューブと被写体洗浄用管路のための副送水チューブの二本の送水チューブが挿入部内の全長にわたって挿通配置されているので、挿入部全体が太くなって、内視鏡検査を受ける人に与える苦痛が大きくなる欠点があった。
【０００５】
そこで本発明は、観察窓洗浄用管路と被写体洗浄用管路とが併設されていても挿入部が太くならず、内視鏡検査を受ける人が楽に検査を受けることができる内視鏡の送水路を提供することを目的とする。
【課題を解決するための手段】
【０００６】
上記の目的を達成するため、本発明の内視鏡の送水路は、挿入部の先端に観察窓が配置されると共に、観察窓の表面に向かって洗浄水を吹き付けるための観察窓洗浄用管路と、観察窓前方の観察視野の方向に向かって洗浄水を吹き付けるための被写体洗浄用管路とが挿入部の先端に併設された内視鏡の送水路において、挿入部内に、観察窓洗浄用管路と被写体洗浄用管路の双方に連通する一本の送水管路を挿通配置して、その送水管路から観察窓洗浄用管路と被写体洗浄用管路とに分岐する分岐部を挿入部の先端付近に配置し、分岐部より被写体洗浄用管路側に、通常は閉じていて送水管路から一定の圧力を越える高圧で送水が行われることにより開く圧力開放弁を配置したものである。
【発明の効果】
【０００７】
本発明によれば、挿入部の先端部分には観察窓洗浄用管路と被写体洗浄用管路とが併設されていても、挿入部全体には一本の送水管路しか挿通配置されていないので、挿入部が先端部分を除いて太くならず、内視鏡検査を受ける人が楽に検査を受けることができる。
【発明を実施するための最良の形態】
【０００８】
挿入部内に、観察窓洗浄用管路と被写体洗浄用管路の双方に連通する一本の送水管路を挿通配置して、その送水管路から観察窓洗浄用管路と被写体洗浄用管路とに分岐する分岐部を挿入部の先端付近に配置し、分岐部より被写体洗浄用管路側に、通常は閉じていて送水管路から一定の圧力を越える高圧で送水が行われることにより開く圧力開放弁を配置する。
【実施例】
【０００９】
図面を参照して本発明の実施例を説明する。
図１は、本発明の第１の実施例の内視鏡の送水路を示しており、細長い可撓管状の内視鏡挿入部１の先端に連結された先端部本体２の先端面には、観察窓３が配置されていて、その観察窓３の前方が被写体として内視鏡観察される観察視野になっている。
【００１０】
そして、先端部本体２には、観察窓３の表面に向かって開口する観察窓洗浄用ノズル４と、観察窓３と並んで前方の被写体の方向に開口する被写体洗浄用ノズル５とが設けられている。観察窓３の奥には、対物光学系６による被写体の投影位置に固体撮像素子７が配置されている。
【００１１】
内視鏡挿入部１内には、全長にわたって一本の送水チューブ１１（送水管路）が挿通配置されていて、先端部本体２の後端部付近に設けられた分岐部１２において、観察窓洗浄用ノズル４に連通する観察窓洗浄用管路１４と、被写体洗浄用ノズル５に連通する被写体洗浄用管路１５とに分岐されている。
【００１２】
そして、被写体洗浄用管路１５内の分岐部１２に近接した位置に、通常は閉じていて送水チューブ１１から一定の圧力を越える高圧で送水が行われることにより開く圧力開放弁１０が配置されている。この実施例の圧力開放弁１０は、弾力性のあるゴム材により下流側に向かって凸の山形に形成されて、その中央部分に切り込みが貫通形成された構成になっている。
【００１３】
このような構成により、内視鏡挿入部１の基端に連結された図示されていない操作部から、圧力開放弁１０が開かない程度の圧力で送水が行われると、図２に示されるように、送水チューブ１１を経由して送られてきた洗浄水の殆ど全てが、被写体洗浄用管路１５へは行かずに、観察窓洗浄用管路１４を経由して観察窓洗浄用ノズル４から観察窓３の表面に吹き付けられる。
【００１４】
そして、圧力開放弁１０を開かせる程度の高圧で操作部から送水が行われると、図３に示されるように、送水チューブ１１を経由して送られてきた洗浄水の多くが、開いた圧力開放弁１０から被写体洗浄用管路１５を経由して被写体洗浄用ノズル５から前方の観察視野中の被写体に向かって吹き付けられる。
【００１５】
このようにして、本発明においては、先端部本体２には観察窓洗浄用管路１４と被写体洗浄用管路１５とが併設されているものの、内視鏡挿入部１内には送水チューブ１１が一本しか挿通配置されていないので、内視鏡挿入部１が太くならない。
【００１６】
なお、本発明は上記実施例に限定されるものではなく、例えば図４に示されるように、圧力開放弁１０を、下流側から上流側に向かってスプリングで付勢された弁体等で構成しても差し支えない。
【図面の簡単な説明】
【００１７】
【図１】本発明の第１の実施例の内視鏡の送水路の側面断面図である。
【図２】本発明の第１の実施例の内視鏡の送水路の観察窓を洗浄している状態の側面断面図である。
【図３】本発明の第１の実施例の内視鏡の送水路の被写体を洗浄している状態の側面断面図である。
【図４】本発明の第２の実施例の内視鏡の送水路の側面断面図である。
【符号の説明】
【００１８】
１  内視鏡挿入部
２  先端部本体
３  観察窓
４  観察窓洗浄用ノズル
５  被写体洗浄用ノズル
１０  圧力開放弁
１１  送水チューブ（送水管路）
１２  分岐部
１４  観察窓洗浄用管路
１５  被写体洗浄用管路
【図１】
2005253543.tif 000003
【図２】
2005253543.tif 000004
【図３】
2005253543.tif 000005
【図４】
2005253543.tif 000006